(57)【要約】  接合式ＬＥＤディスプレイ支持枠構造は、底部支持枠（１）と、複数の回転フレーム（２）と、を含む。底部支持枠（１）は、接合組み立て式フレーム構造であり、その周辺辺縁に縦方向及び横方向に接合するための装置が設けられ、前後接合装置と、左右接合装置と、を含み、その前側及び後側の中央部にＬＥＤディスプレイに上下接続されるためのディスプレイ接続構造が設けられている。回転フレーム（２）は、底部支持枠（１）に分解可能に接続され、接合組み立て後に底部支持枠（１）を軸心に回転可能であり、その回転角度が０〜１８０°である。接合式ＬＥＤディスプレイ支持枠構造及びその接合方法は、一人で迅速に接合し、作業環境の要求中に折り畳み及び広げることができ、広げた後に構造がＬＥＤディスプレイの強度及び厚みを高めることができるため、ＬＥＤディスプレイを地面に立たせると同時に、支持枠構造により登り、ディスプレイのメンテナンスを行うことができる。ユニット化接合操作に基づき、底部支持枠（１）間に前後、左右方向に積み重ねて接合し、自由度及び柔軟性が高く、規格、寸法が異なるＬＥＤディスプレイに適用することができる。
2021513090.tif 000002
【特許請求の範囲】
【請求項１】
底部支持枠と、
複数の回転フレームと、を含み、
前記底部支持枠は、接合組み立て式フレーム構造であり、その周辺辺縁に縦方向及び横方向接合ための装置が設けられ、前後接合装置と、左右接合装置と、を含み、その前側及び後側の中央部にＬＥＤディスプレイに上下接続されるためのディスプレイ接続構造がそれぞれ設けられており、
前記回転フレームは、前記底部支持枠に分解可能に接続され、接合組み立て後に前記底部支持枠を軸心に回転可能であり、その回転角度が０°〜１８０°であることを特徴とする接合式ＬＥＤディスプレイ支持枠構造。
【請求項２】
前記底部支持枠は、
鏡像対称で同じ構造を有する前支持枠と、後支持枠と、を含む前後間隔配置の一対の支持枠と、
左右平行的に間隔で配置され、前記前支持枠及び後支持枠に接続されるための一対の連接棒と、
その両端が前記一対の連接棒に接続され、前記底部支持枠を前部及び後部に仕切るための隔離支持枠と、を含み、
前記前後接合装置は、ロッキングプレートと、ロッキングコラムとを含み、前記ロッキングプレートは、セットで前記前支持枠の前側端面の内側に設けられ、その中央部に接続貫通孔があり、前記ロッキングコラムは、セットで前記後支持枠の後側端面の内側に設けられ、且つ前記後支持枠の後側端面を貫通し、
前記左右接合装置は、左アーチロック部材と、右アーチロック部材と、を含み、前記左アーチロック部材は、任意の前記支持枠の左側端部の上表面に設けられ、前記右アーチロック部材は、任意の前記支持枠の右側端部の上表面に設けられ、前記左アーチロック部材と、右アーチロック部材は、互いに嵌め合うロック構造であることを特徴とする請求項１に記載の接合式ＬＥＤディスプレイ支持枠構造。
【請求項３】
前記ディスプレイ接続構造は、セットで前記底部支持枠の前側及び後側に設けられるディスプレイ接続ロック部材であり、
前記ディスプレイ接続ロック部材は、間隔をあけて配置される２つの回転ロック本体と、前記回転ロック本体を収納するためのロックスロットと、を含み、
前記回転ロック本体は、前記底部支持枠を貫通するボルトであり、その上部に右回り又は左回り回転して締め付け又は緩めるための回転弁が設けられ、その下部にネジ山接続方式により外付けのＬＥＤディスプレイに接続されることを特徴とする請求項１に記載の接合式ＬＥＤディスプレイ支持枠構造。
【請求項４】
前記回転フレームは、
接続軸と、
１セットの接続スリーブと、
その一方の端が前記接続軸の外部に嵌着され、その他方の端に半可動式シャックルリングが設けられておる複数の回転サイドバーと、を含み、
前記接続スリーブは、前記接続軸の一方の端に嵌着された前接続スリーブと、前記接続軸の他方の端に嵌着された後接続スリーブと、を含み、前記前接続スリーブ及び前記後接続スリーブに互いに嵌め合うための内外部ネジ山が設けられていることを特徴とする請求項１に記載の接合式ＬＥＤディスプレイ支持枠構造。
【請求項５】
前記後接続スリーブは、階段式スリーブ構造であり、階段端部の外部に外部ネジ山が設けられ、
前記前接続スリーブの内部に前記外部ネジ山と嵌め合うための内部ネジ山が設けられ、
前記前接続スリーブの外部に摩擦力を増やすための歯状構造が設けられていることを特徴とする請求項４に記載の接合式ＬＥＤディスプレイ支持枠構造。
【請求項６】
前記シャックルリングは、セミオープン式環状シャックルであり、ヒンジで接続される２つの半円形の片体と、を含み、
前記半円形の片体間にヒンジで固定され、１つの片体は、前記回転サイドバーに固定接続され、他の１つの片体は、半可動構造であり、その可動端に接続螺子が設けられていることを特徴とする請求項４に記載の接合式ＬＥＤディスプレイ支持枠構造。
【請求項７】
前記左アーチロック部材及び前記右アーチロック部材は嵌め合う回転押圧係合構造であり、
前記左アーチロック部材は、
一方の端が前記支持枠の左端に固定接続され、他方の端が宙釣り構造であり、外部からの圧力を受ける場合に後ろに回転し、外部力がない場合に前記支持枠に平行するためのプレスハンドルと、
そのＵ字開口端が前記プレスハンドルの固定端に固定接続されているＵ字環と、を含み、
前記右アーチロック部材は、
接続凸台と、を含み、
前記接続凸台の左側の端面に前記Ｕ字環と嵌め合うカードスロットが設けられ、前記接続凸台と前記支持枠との間に可動式接続構造があり、前記凸台は、必要に応じて台座に沿って一定の角度を回転することができ、回転角度の範囲は、−１０°〜＋１０°であることを特徴とする請求項２に記載の接合式ＬＥＤディスプレイ支持枠構造。
【請求項８】
前記連接棒は、炭素繊維材料構造であることを特徴とする請求項２に記載の接合式ＬＥＤディスプレイ支持枠構造。
【請求項９】
前記底部支持枠の後から見ると、前記底部支持枠の左上方に１セットの前記回転フレームが設置され、前記底部支持枠の右下方に他の１セットの前記回転フレームが設置されており、
又は、前記底部支持枠の後から見ると、前記底部支持枠の右上方に１セットの前記回転フレームが設置され、前記底部支持枠の左下方に他の１セットの前記回転フレームが設置されている
ことを特徴とする請求項１に記載の接合式ＬＥＤディスプレイ支持枠構造。
【請求項１０】
単一の支持枠構造を組立て、支持枠ユニットとするステップＳ１と、
必要に応じて複数の支持枠ユニットを選んで前後接合を行い、
前記支持枠ユニットの底部支持枠を同じ水平面の前後隣接位置に置き、その前後隣接端のロッキングプレート及びロッキングコラムにより接続されるステップＳ２と、
必要に応じて複数の支持枠ユニットを選んで左右接合を行い、
前記支持枠ユニットの底部支持枠を同じ水平面の左右隣接位置に置き、その左右隣接端の前記左アーチロック部材及び右アーチロック部材により接続されるステップＳ３と、を含むことを特徴とする請求項１〜９のいずれか一項に記載の接合式ＬＥＤディスプレイ支持枠構造に適用する接合式ＬＥＤディスプレイ支持枠構造の接合方法。
【請求項１１】
ステップＳ１は、
任意の１つの前記回転フレームを取り、回転サイドバーのシャックルリングを前記底部支持枠の任意の１つの連接棒の外部の前部に覆設し、接続螺子により固定接続し、その３方向の自由度を制限し、前記回転サイドバーは、前後方向に沿って限定距離内で移動し、且つ接続される前記連接棒を軸心に回転させる前部回転フレーム装着ステップＳ１１と、
他の１つの前記回転フレームを取り、前記回転サイドバーのシャックルリングを前記底部支持枠の他の１つの連接棒の外部の後部に覆設し、前記接続螺子により固定接続し、その３方向の自由度を制限し、前記回転サイドバーは、前後方向に沿って限定距離内で移動し、且つ接続される前記連接棒を軸心に回転させる前部回転フレーム装着ステップＳ１２と、
前記底部支持枠との装着を完了した前記前部及び後部回転フレームの接続軸を同じ水平高さまで回転し、前記接続軸の隣接両端に嵌着された前接続スリーブ及び後接続スリーブのネジ山によりしっかり締めて接続し、開かれた三角形構造に組み立てるという回転フレーム接合ステップＳ１３と、
前記接続された回転フレームの接続軸の隣接端の接続スリーブを回転して分解し、前部及び後部の分解後の２つの回転フレームを前記底部支持枠に折り畳んで収納するように左、右にそれぞれ回転させる回転フレーム折り畳みステップＳ１４とを含むことを特徴とする請求項１０に記載の接合式ＬＥＤディスプレイ支持枠構造の接合方法。
【発明の詳細な説明】
【技術分野】
【０００１】
本発明は、ＬＥＤディスプレイ補助オペレーションメンテナンスツール分野に関し、具体的に接合式ＬＥＤディスプレイ支持枠構造及びその接合方法に関する。
【背景技術】
【０００２】
現在、ＬＥＤディスプレイの日進月歩な発展につれて、ディスプレイがさらに軽くて薄く、シンプルになり、さらに人間本位のある方向に進化すると同時に、ＬＥＤディスプレイの迅速装着にさらに高い要求がある。しかし、従来のＬＥＤディスプレイは、外部スチール構造により装着され、その平面性がディスプレイ自分の強度により保証されるため、スチール構造の運輸及び包装作業が困難になり、かつディスプレイの本体が重過ぎるため、さらに簡単で利便性があり、接続強度がさらに高い装着装置及び方法を必要とする。
【発明の概要】
【発明が解決しようとする課題】
【０００３】
本発明の目的は、従来技術の不足を克服し、接合、折り畳み及び開く作業が迅速な接合式ＬＥＤディスプレイ支持枠構造及びその接合方法を提供することにある。
【課題を解決するための手段】
【０００４】
本発明は、上述した目的を実現するために、以下の技術的手段を採用する。
【０００５】
接合式ＬＥＤディスプレイ支持枠構造は、底部支持枠と、複数の回転フレームと、を含む。
【０００６】
前記底部支持枠は、接合組み立て式フレーム構造であり、その周辺辺縁に縦方向及び横方向接合ための装置が設けられ、前後接合装置と、左右接合装置と、を含み、その前側及び後側の中央部にＬＥＤディスプレイに上下接続されるためのディスプレイ接続構造がそれぞれ設けられている。
【０００７】
前記回転フレームは、前記底部支持枠に分解可能に接続され、接合組み立て後に前記底部支持枠を軸心に回転可能であり、その回転角度が０°〜１８０°である。
【０００８】
さらに、前記底部支持枠は、鏡像対称で同じ構造を有する前支持枠と、後支持枠と、を含む前後間隔配置の一対の支持枠と、左右平行的に間隔で配置され、前記前支持枠及び後支持枠に接続されているための一対の連接棒と、その両端が前記一対の連接棒に接続され、前記底部支持枠を前部及び後部に仕切るための隔離支持枠と、を含む。
【０００９】
前記前後接合装置は、ロッキングプレートと、ロッキングコラムとを含む。前記ロッキングプレートは、セットで前記前支持枠の前側端面の内側に設けられ、その中央部に接続貫通孔がある。前記ロッキングコラムは、セットで前記後支持枠の後側端面の内側に設けられ、且つ前記後支持枠の後側端面を貫通する。
【００１０】
前記左右接合装置は、左アーチロック部材と、右アーチロック部材と、を含む。前記左アーチロック部材は、任意の前記支持枠の左側端部の上表面に設けられている。前記右アーチロック部材は、任意の前記支持枠の右側端部の上表面に設けられている。前記左アーチロック部材と、右アーチロック部材は、互いに嵌め合うロック式構造である。
【００１１】
さらに、前記ディスプレイ接続構造は、セットで前記底部支持枠の前側及び後側に設けられるディスプレイ接続ロック部材である。
【００１２】
前記ディスプレイ接続ロック部材は、間隔をあけて配置される２つの回転ロック本体と、前記回転ロック本体を収納するためのロックスロットと、を含む。
【００１３】
前記回転ロック本体は、前記底部支持枠を貫通するボルトであり、その上部に右回り又は左回り回転して締め付け又は緩めるための回転弁が設けられ、その下部にネジ山接続方式により外部設置のＬＥＤディスプレイに接続されている。
【００１４】
さらに、前記回転フレームは、接続軸と、１セットの接続スリーブと、その一方の端が前記接続軸の外部に嵌着され、その他方の端に半可動式シャックルリングが設けられている複数の回転サイドバーと、を含む。
【００１５】
前記接続スリーブは、前記接続軸の一方の端に嵌着された前接続スリーブと、前記接続軸の他方の端に嵌着された後接続スリーブと、を含む。前記前接続スリーブ及び前記後接続スリーブに互いに嵌め合うための内外部ネジ山が設けられている。
【００１６】
さらに、前記後接続スリーブは、階段式スリーブ構造であり、階段端部の外部に外部ネジ山が設けられている。
【００１７】
前記前接続スリーブの内部に前記外部ネジ山と嵌め合うための内部ネジ山が設けられている。
【００１８】
前記前接続スリーブの外部に摩擦力を高めるための歯状構造が設けられている。
【００１９】
さらに、前記シャックルリングは、セミオープン式環状シャックルであり、ヒンジで接続される２つの半円形の片体と、を含む。
【００２０】
前記半円形の片体間にヒンジで固定され、１つの片体は、前記回転サイドバーに固定接続され、他の１つの片体は、半可動構造であり、その可動端に接続螺子が設けられている。
【００２１】
さらに、前記左アーチロック部材及び前記右アーチロック部材は、セットになっている回転押圧係合構造である。
【００２２】
前記左アーチロック部材は、一方の端が前記支持枠の左端に固定接続され、他方の端が宙釣り構造であり、外部からの圧力を受ける場合に後ろに回転し、外部の力のない場合に前記支持枠に平行するためのプレスハンドルと、そのＵ字開口端が前記プレスハンドルの固定端に固定接続されているＵ字環と、を含む。
【００２３】
前記右アーチロック部材は、接続凸台と、を含む。
【００２４】
前記接続凸台の左側の端面に前記Ｕ字環と嵌め合うカードスロットが設けられている。前記接続凸台と前記支持枠との間に可動式接続構造がある。前記凸台は、必要に応じて前記台座に沿って一定の角度を回転することができ、回転角度の範囲は、−１０°〜＋１０°である。
【００２５】
さらに、前記連接棒は、炭素繊維材料の構造である。
【００２６】
接合式ＬＥＤディスプレイ支持枠構造の接合方法は、前記接合式ＬＥＤディスプレイ支持枠構造に適用し、単一の支持枠構造を組立て、支持枠ユニットとするステップＳ１と、必要に応じて複数の支持枠ユニットを選んで前後接合を行い、前記支持枠ユニットの底部支持枠を同じ水平面の前後隣接位置に置き、その前後隣接端の前記ロッキングプレート及びロッキングコラムにより接続されるステップＳ２と、必要に応じて複数の支持枠ユニットを選んで左右接合を行い、前記支持枠ユニットの底部支持枠を同じ水平面の左右隣接位置に置き、その左右隣接端の前記左アーチロック部材及び右アーチロック部材により接続されるステップＳ３と、含む。
【００２７】
さらに、前記ステップＳ１は、任意の１つの前記回転フレームを取り、前記回転サイドバーのシャックルリングを前記底部支持枠の任意の１つの連接棒の外部の前部に覆設し、前記接続螺子により固定接続し、その３方向の自由度を制限し、前記回転サイドバーは、前後方向に沿って限定距離内で移動し、且つ接続される前記連接棒を軸心に回転させる前部回転フレーム装着ステップＳ１１と、他の１つの前記回転フレームを取り、前記回転サイドバーのシャックルリングを前記底部支持枠の他の１つの連接棒の外部の後部に覆設し、前記接続螺子により固定接続し、その３方向の自由度を制限し、前記回転サイドバーは、前後方向に沿って限定距離内で移動し、且つ接続される前記連接棒を軸心に回転させる前部回転フレーム装着ステップＳ１２と、前記底部支持枠との装着完了の前記前部及び後部回転フレームの接続軸を同じ水平高さまで回転し、前記接続軸の隣接両端に嵌着された前接続スリーブ及び後接続スリーブのネジ山によりしっかり締めて接続し、開かれた三角形構造に組み立てるという回転フレーム接合ステップＳ１３と、接続された前記回転フレームの接続軸の隣接端の接続スリーブを回転して分解し、前部及び後部の分解後の２つの回転フレームを前記底部支持枠に折り畳んで収納するように左、右にそれぞれ回転させる回転フレーム折り畳みステップＳ１４と、含む。
【発明の効果】
【００２８】
本発明が提供した接合式ＬＥＤディスプレイ支持枠構造及びその接合方法は、１人で迅速に接合でき、作業環境の要求の中に折り畳み及び広げることができ、広げた後に構造がＬＥＤディスプレイの強度及び厚さを補強することができるため、ＬＥＤディスプレイを地面に立たせると同時に、支持枠構造を登ることによりディスプレイのメンテナンスを行うことができる。２つの回転フレームが広げた場合に底部支持枠と安定性が優れる三角形を形成し、ＬＥＤディスプレイ支持枠構造は、厚み方向に寸法が増えるため、風抵抗モーメントを増加し、室外で使用される際に風抵抗能力を高める。単元化接合操作に基づき、底部支持枠間に前後、左右方向に積み重ねて接合し、自由度及び柔軟性が高く、規格、寸法が異なるＬＥＤディスプレイに適用することができる。ディスプレイ接続ロック部材によりＬＥＤディスプレイを支持枠構造と迅速に一体構造に接続するという技術的特徴は、従来のＬＥＤディスプレイの後部のスチール構造を代替し、かつ支持枠構造は重さが軽く強度がさらに高い炭素繊維とアルミ合金材料であるため、ＬＥＤディスプレイの装着とメンテナンスする際の重さ及び作業の複雑度を大幅に低減することができる。機能が完全で、構造が簡単で信頼性があり、着脱しやすく、運送しやすい。
【図面の簡単な説明】
【００２９】
【図１】は本発明の実施例によるディスプレイ支持枠構造の開かれている状態の構造概略図である。
【図２】は図１におけるＡ箇所の左アーチロック部材の局部構造の拡大図である。
【図３】は本発明のディスプレイ支持枠構造の折り畳み状態の構造概略図である。
【図４】は図３におけるＢ箇所のディスプレイ接続ロック部材の局部構造の拡大図である。
【図５】は図３におけるＣ箇所の右アーチロック部材の局部構造の拡大図である。
【図６】は本発明の回転フレームの構造概略図。
【図７】は支持枠ユニットの前後接合状態の構造概略図。
【図８】は支持枠ユニットの左右接合状態の構造概略図。
【図９】は本発明のディスプレイ支持枠構造接合を完成した後に垂直に置く状態の構造概略図。
【図１０】は本発明の他の実施例によるディスプレイ支持枠構造の開かれている状態の構造概略図である。
【図１１】は図１０のディスプレイ支持枠構造の折り畳み状態の構造概略図である。
【図１２】は図１０のディスプレイ支持枠構造に応用された回転フレームの構造概略図である。
【図１３】は図１０のディスプレイ支持枠構造の支持枠ユニット前後接合状態の構造概略図である。
【図１４】は図１０のディスプレイ支持枠構造の支持枠ユニット左右接合状態の構造概略図である。
【図１５】は本発明の他の実施例によるディスプレイ支持枠構造の折り畳み状態の構造概略図である。
【図１６】は図１５のディスプレイ支持枠構造に応用されている回転フレームの構造概略図である。
【図１７】は図１５のディスプレイ支持枠構造の支持枠ユニット左右接合状態の構造概略図である。
【図１８】は本発明の他の実施例によるディスプレイ支持枠構造の開らかれている状態の構造概略図である。
【図１９】は図１８のディスプレイ支持枠構造の折り畳み状態の構造概略図である。
【図２０】は図１８のディスプレイ支持枠構造の支持枠ユニットの１つの左右接合状態の構造概略図である。
【図２１】は図１０のディスプレイ支持枠構造にＬＥＤディスプレイを装着する装着概略図である。
【図２２】は図９のディスプレイ支持枠構造にＬＥＤディスプレイを装着する装着概略図である。
【発明を実施するための形態】
【００３０】
本発明の目的、特徴及び長所をよりはっきりと理解するために、以下、図面及び具体的な実施例を結合させてさらに詳細に説明する。
【００３１】
以下の具体的な説明に本発明を十分に理解するために多くの細部を説明したが、本発明は、他の異なる方式で実現することができる。従って、本発明の保護範囲は、以下の開示された具体的な実施例に制限されてない。
【００３２】
図１〜図９、図２２に示されているように、具体的な実施例１において、接合式ＬＥＤディスプレイ支持枠構造は、底部支持枠１と、複数の回転フレーム２と、を含む。
【００３３】
底部支持枠１は、接合組み立て式フレーム構造であり、その周辺辺縁に縦方向及び横方向接合ための装置が設けられ、前後接合装置と、左右接合装置と、を含み、その前側及び後側の中央部にＬＥＤディスプレイ３に上下接続されるためのディスプレイ接続構造がそれぞれ設けられている。
【００３４】
回転フレーム２は、底部支持枠１に分解可能に接続され、接合組み立て後に底部支持枠１を軸心に回転可能であり、その回転角度が０°〜１８０°である。
【００３５】
底部支持枠１は、鏡像対称で同じ構造を有する前支持枠１１と、後支持枠１２と、を含む前後間隔配置の一対の支持枠と、左右平行的に間隔で配置され、前支持枠１１及び後支持枠１２に接続されているための一対の連接棒１３と、その両端が一対の連接棒１３に接続され、底部支持枠１を前部及び後部に仕切るための隔離支持枠１４と、を含む。
【００３６】
前後接合装置は、ロッキングプレート１５と、ロッキングコラム１６とを含む。ロッキングプレート１５は、セットで前支持枠１１の前側端面の内側に設けられ、その中央部に接続貫通孔がある。ロッキングコラム１６は、セットで後支持枠１２の後側端面の内側に設けられ、且つ後支持枠１２の後側端面を貫通する。
【００３７】
左右接合装置は、左アーチロック部材１７と、右アーチロック部材１８と、を含む。左アーチロック部材１７は、任意の前記支持枠の左側端部の上表面に設けられている。右アーチロック部材１８は、任意の前記支持枠の右側端部の上表面に設けられている。左アーチロック部材１７と、右アーチロック部材１８は、互いに嵌め合うロック構造である。
【００３８】
ディスプレイ接続構造は、セットで底部支持枠１の前側及び後側に設けられるディスプレイ接続ロック部材１９である。前支持枠１１の前側端面の中央部にディスプレイ接続ロック部材１９が設けられている。後支持枠１２の後側端面の中央部にディスプレイ接続ロック部材１９が設けられている。
【００３９】
ディスプレイ接続ロック部材１９は、間隔で配置される２つの回転ロック本体１９２と、回転ロック本体１９２を収納するためのロックスロット１９１と、を含む。
【００４０】
回転ロック本体１９２は、底部支持枠１を貫通するボルトで、その上部に右回り又は左回り回転して締め付け又は緩めるための回転弁が設けられ、その下部にネジ山接続方式によりＬＥＤディスプレイ３に接続されている。
【００４１】
回転フレーム２は、接続軸２１と、１セットの接続スリーブと、その一方の端が接続軸２１の外部に嵌着され、その他方の端に半可動式シャックルリング２５が設けられている複数の回転サイドバー２４と、を含む。
【００４２】
接続スリーブは、接続軸２１の一方の端に嵌着された前接続スリーブ２２と、接続軸２１の他方の端に嵌着された後接続スリーブ２３と、を含む。前接続スリーブ２２及び後接続スリーブ２３に互いに嵌め合うための内外部ネジ山が設けられている。
【００４３】
後接続スリーブ２３は、階段式スリーブ構造であり、階段端部の外部に外部ネジ山が設けられ、外ネジ山部である。
【００４４】
前接続スリーブ２２の内部に外部ネジ山と嵌め合うための内部ネジ山が設けられている。
【００４５】
前接続スリーブ２２の外部に摩擦力を高めるための歯状構造が設けられている。
【００４６】
シャックルリング２５は、セミオープン式環状シャックルであり、ヒンジで接続される２つの半円形の片体と、を含む。
【００４７】
半円形の片体間にヒンジで固定され、１つの片体は、回転サイドバー２４に固定接続され、他の１つの片体は、半可動構造であり、その可動端に接続螺子２６が設けられている。
【００４８】
左アーチロック部材１７及び右アーチロック部材１８は、セットになっている回転押圧係合構造である。
【００４９】
左アーチロック部材１７は、一方の端が支持枠の左端に固定接続され、他方の端が宙釣り構造であり、外部からの圧力を受ける場合に後ろに回転し、外部の力がない場合に前記支持枠に平行するためのプレスハンドル１７１と、ドアフレーム状構造のスリーブリングであり、中央部に収納空間が設けられ、その開口端がプレスハンドル１７１の固定端に固定接続されているＵ字環１７２と、を含む。
【００５０】
右アーチロック部材１８は、接続凸台と、を含む。
【００５１】
接続凸台の内側の端面にＵ字環１７２と嵌め合うカードスロットが設けられている。接続凸台と支持枠との間に可動式接続構造がある。実際の使用過程において、凸台は、必要に応じて台座に沿って一定の角度を回転することができ、回転角度の範囲は、−１０°〜＋１０°である。凸台の側面に回転角度ゲージがある。左又は右に回転する具体的な使用角度は、実際の使用必要に応じて回転及び調節を行うため、弧形表面を有するＬＥＤディスプレイ３の装着によく適用する。
【００５２】
支持枠構造中の各組成部品は、いずれもアルミ合金材料構造である。その中に、連接棒１３は、炭素繊維材料構造である。接続軸２１は、アルミ合金及び炭素繊維材料を使用するため、強度を保証すると同時にさらに重さを減らし、ＬＥＤディスプレイ３の運輸、装着及びメンテナンスの作業負荷を低下する。
【００５３】
図１、図２１に示されているように、本発明のディスプレイ支持枠構造は、開かれている状態にある。回転フレーム２は、底部支持枠１の左右両端の連接棒１３を軸心に対応位置に開かれ、かつ下接続スレーブ及び上接続スレーブにより接合されている。ＬＥＤディスプレイ支持枠構造における２つの回転フレーム２は固定接続され、安定性が優れた三角形構造を形成する。開かれている状態の回転フレーム２は、ＬＥＤディスプレイ支持枠構造における垂直方向の厚みを増やすため、使用過程にＬＥＤディスプレイ３を支えて地面に立たせるという要求を達すると同時に、ＬＥＤディスプレイ３の強度を高める。ＬＥＤディスプレイ支持枠構造における厚み方向に寸法を増やすため、風抵抗モーメントを大きくし、室外で使用される際に風抵抗能力が高められる。接合後にＬＥＤディスプレイ３を垂直に置き、使用過程において、ユーザは、ＬＥＤディスプレイ支持枠構造の前支持枠１１、分離支持枠１４、及び後支持枠１２により登ることができ、特に大型ＬＥＤディスプレイ３の各位置のメンテナンスしやすくなる。
【００５４】
回転フレーム２が配置されてなく、つまりＬＥＤディスプレイ３が底部支持枠１に装着されている場合、使用過程において、ユーザは、ＬＥＤディスプレイ支持枠構造の前支持枠１１、分離支持枠１４、及び後支持枠１２により登ることができる。
【００５５】
図１に示されているように、実施例１の接合式ＬＥＤディスプレイ支持枠構造は、底部支持枠１の後から見ると、底部支持枠１の左上方に１セットの回転フレーム２が設置され、右下方に他の１セットの回転フレーム２が設置されている。各セットの回転フレーム２は、２本の回転サイドバー２４を有する。
【００５６】
図１０〜図１４に示されているのは、実施例２による接合式ＬＥＤディスプレイ支持枠構造である。実施例２は、実施例１の構造と大体同じであるが、違い点は、以下のとおりである。図１０に示されているように、底部支持枠１の後から見ると、底部支持枠１の右上方に１セットの回転フレーム２が設置され、左下方に他の１セットの回転フレーム２が設置されている。このような構造は、実施例１と同じ効果を有するため、ここに再び説明する必要がない。図１０のＬＥＤディスプレイ支持枠構造にＬＥＤディスプレイを装着する場合は、図２１に示されている。
【００５７】
図１５〜図１７に示されているのは、実施例３による接合式ＬＥＤディスプレイ支持枠構造である。実施例３は、実施例１の構造と大体同じであるが、違い点は、以下のとおりである。各セットの回転フレーム２は、１本の回転サイドバー２４を有する。このような構造は、実施例１と同じ効果を有するため、ここに再び説明する必要がない。
【００５８】
実施例３において、底部支持枠１の後から見ると、底部支持枠１の左上方に１セットの回転フレーム２が設置され、右下方に他の１セットの回転フレーム２が設置されている。
【００５９】
図１８〜図２０に示されているのは、実施例４による接合式ＬＥＤディスプレイ支持枠構造である。実施例４は、実施例３の構造と大体同じであるが、違い点は、以下のとおりである。図２２に示されているように、底部支持枠１の後から見ると、底部支持枠１の右上方に１セットの回転フレーム２が設置され、左下方に他の１セットの回転フレーム２が設置されている。このような構造は、実施例１と同じ効果を有するため、ここに再び説明する必要がない。
【００６０】
他の実施例において、各セットの回転サイドバー２４の数は、複数本であってもよく、具体的な数が限定されてない。さらに、底部支持枠１の後から見ると、底部支持枠１の右上方に１セットの回転フレーム２が設置され、左下方に他の１セットの回転フレーム２が設置されている。又は、底部支持枠１の左上方に１セットの回転フレーム２が設置され、右下方に他の１セットの回転フレーム２が設置されている。上述した２つの方案は、必要に応じて選択することができる。
【００６１】
図７〜図９、図２２に示されているように、接合式ＬＥＤディスプレイ支持枠構造の接合方法は、単一の支持枠構造を組立て、支持枠ユニットとするステップＳ１と、必要に応じて複数の支持枠ユニットを選んで前後接合を行い、支持枠ユニットの底部支持枠１を同じ水平面の前後隣接位置に置き、その前後隣接端のロッキングプレート１５及びロッキングコラム１６を介して接続されるステップＳ２と、必要に応じて複数の支持枠ユニットを選んで左右接合を行い、支持枠ユニットの底部支持枠１を同じ水平面の左右隣接位置に置き、その左右隣接端の左アーチロック部材１７及び右アーチロック部材１８により接続されるステップＳ３と、含む。
【００６２】
作業ステップＳ２を繰り返し、前後方向のディスプレイ支持枠構造は、必要に応じて無限回で積み重ねて接合することができる。
【００６３】
作業ステップＳ３を繰り返し、左右方向のディスプレイ支持枠構造は、必要に応じて無限回で積み重ねて接合することができる。
【００６４】
そのうち、ステップＳ１は、任意の１つの回転フレーム２を取り、回転サイドバー２４のシャックルリング２５を底部支持枠１の任意の１つの連接棒１３の外部の前部に覆設し、接続螺子２６により固定接続し、その３方向の自由度を制限し、回転サイドバー２４は、前後方向に沿って限定距離内で移動し、且つ接続される連接棒１３を軸心に回転させる前部回転フレーム２装着ステップＳ１１と、他の１つの回転フレーム２を取り、回転サイドバー２４のシャックルリング２５を底部支持枠１の他の１つの連接棒１３の外部の後部に覆設し、接続螺子２６により固定接続し、その３方向の自由度を制限し、回転サイドバー２４は、前後方向に沿って限定距離内で移動し、且つ接続される連接棒１３を軸心に回転させる前部回転フレーム２装着ステップＳ１２と、底部支持枠１との装着を完了した前部及び後部回転フレーム２の接続軸２１を同じ水平の高さまで回転し、接続軸２１の隣接両端に嵌着された前接続スリーブ２２及び後接続スリーブ２３のネジ山によりしっかり締めて接続し、開かれたと三角形構造に組み立てるという回転フレーム接合ステップＳ１３と、接続された回転フレーム２の接続軸２１の隣接端の接続スリーブを回転して分解し、前部及び後部の分解後の２つの回転フレーム２を底部支持枠１に折り畳んで収納するように左、右にそれぞれ回転させる回転フレーム折り畳みステップＳ１４と、含む。
【００６５】
回転フレーム２は、内部に回転して支持枠構造内部に固定されて内部が安定した三角形を形成することができる。また、回転フレーム２は、外部に回転して左側及び／又は右側の支持枠構造内の回転フレーム２と外部の安定した三角形を形成する。具体的な回転方向について、ユーザは、実際情況に応じて自由に選択する。
【００６６】
装着完了した後のディスプレイ支持枠構造は、それに接続されるＬＥＤディスプレイ３と同時に固定平面に垂直に置かれ、ＬＥＤディスプレイの厚みを増やし、ディスプレイの安定性及び使用強度を向上させる。ＬＥＤディスプレイ支持枠構造における厚み方向に寸法を増やしたため、風抵抗モーメントを大きくし、室外で使用される際に風抵抗能力を高める。ＬＥＤディスプレイ３は大型のため、局部メンテナンスする際に、作業員は、接合した前支持枠１１、分離支持枠１４、及び後支持枠１２により形成された階段を登ることができ、局部のメンテナンスが高効率で利便性がある。
【００６７】
ディスプレイ支持枠構造を折り畳んで収納する際に、以上のステップ順番の逆順に基づいて分解して収納することができるため、装着が柔軟であり、分解しやすい。
【００６８】
上述のように、本発明が提供した接合式ＬＥＤディスプレイ支持枠構造及びその接合方法は、一人で迅速に接合し、作業環境の要求中で折り畳み及び広げることができ、広げた後に構造がＬＥＤディスプレイの強度及び厚みを高めることができるため、ＬＥＤディスプレイを地面に立たせると同時に、支持枠構造を介して登りディスプレイのメンテナンスを行うことができる。ユニット化接合操作に基づき、底部支持枠１間に前後、左右方向に積み重ねて接合し、自由度及び柔軟性が高く、規格、寸法の異なるＬＥＤディスプレイに適用することができる。ディスプレイ接続ロック部材によりＬＥＤディスプレイを支持枠構造と迅速に一体構造に接続するという技術的特徴は、従来のＬＥＤディスプレイの後部のスチール構造を代替し、かつ支持枠構造は、重さが軽く強度がさらに高い炭素繊維とアルミ合金材料であるため、ＬＥＤディスプレイの装着際の重さ及び作業の複雑程度を大幅に低減することができる。機能が完全で、構造が簡単で信頼性があり、着脱しやすく、運輸しやすい。
【００６９】
本発明の技術内容を理解しやすくするために、実施例のみにより本発明を説明するものに過ぎず、本発明の実施方式を制限するものではない。本発明によるあらゆる技術的延伸又は再創造は、本発明の保護範囲内に含まれるはずである。本発明の保護範囲は、特許請求の範囲を基準とする。
【符号の説明】
【００７０】
１  底部支持枠
１１  前支持枠
１２  後支持枠
１３  連接棒
１４  分離支持枠
１５  ロッキングプレート
１６  ロッキングコラム
１７  左アーチロック部材
１８  右アーチロック部材
１９  ディスプレイ接続ロック部材
２  回転フレーム
２１  接続軸
２２  前接続スリーブ
２３  後接続スリーブ
２４    回転サイドバー
２５  シャックルリング
２６  接続螺子
１７１  プレスハンドル
１７２  Ｕ字環
１９１  ロックスロット
１９２  回転ロック本体
３  ＬＥＤディスプレイ
【図１】
2021513090.tif 000003
【図２】
2021513090.tif 000004
【図３】
2021513090.tif 000005
【図４】
2021513090.tif 000006
【図５】
2021513090.tif 000007
【図６】
2021513090.tif 000008
【図７】
2021513090.tif 000009
【図８】
2021513090.tif 000010
【図９】
2021513090.tif 000011
【図１０】
2021513090.tif 000012
【図１１】
2021513090.tif 000013
【図１２】
2021513090.tif 000014
【図１３】
2021513090.tif 000015
【図１４】
2021513090.tif 000016
【図１５】
2021513090.tif 000017
【図１６】
2021513090.tif 000018
【図１７】
2021513090.tif 000019
【図１８】
2021513090.tif 000020
【図１９】
2021513090.tif 000021
【図２０】
2021513090.tif 000022
【図２１】
2021513090.tif 000023
【図２２】
2021513090.tif 000024
【手続補正書】
【提出日】令和1年10月29日(2019.10.29)
【手続補正１】
【補正対象書類名】特許請求の範囲
【補正対象項目名】全文
【補正方法】変更
【補正の内容】
【特許請求の範囲】
【請求項１】
底部支持枠と、
複数の回転フレームと、を含み、
前記底部支持枠は、接合組み立て式フレーム構造であり、その周辺辺縁に縦方向及び横方向接合ための装置が設けられ、前後接合装置と、左右接合装置と、を含み、その前側及び後側の中央部にＬＥＤディスプレイに上下接続されるためのディスプレイ接続構造がそれぞれ設けられており、
前記回転フレームは、前記底部支持枠に分解可能に接続され、接合組み立て後に前記底部支持枠を軸心に回転可能であり、その回転角度が０°〜１８０°であることを特徴とする接合式ＬＥＤディスプレイ支持枠構造。
【請求項２】
前記底部支持枠は、
鏡像対称で同じ構造を有する前支持枠と、後支持枠と、を含む前後間隔配置の一対の支持枠と、
左右平行的に間隔で配置され、前記前支持枠及び後支持枠に接続されるための一対の連接棒と、
その両端が前記一対の連接棒に接続され、前記底部支持枠を前部及び後部に仕切るための隔離支持枠と、を含み、
前記前後接合装置は、ロッキングプレートと、ロッキングコラムとを含み、前記ロッキングプレートは、セットで前記前支持枠の前側端面の内側に設けられ、その中央部に接続貫通孔があり、前記ロッキングコラムは、セットで前記後支持枠の後側端面の内側に設けられ、且つ前記後支持枠の後側端面を貫通し、
前記左右接合装置は、左アーチロック部材と、右アーチロック部材と、を含み、前記左アーチロック部材は、任意の前記支持枠の左側端部の上表面に設けられ、前記右アーチロック部材は、任意の前記支持枠の右側端部の上表面に設けられ、前記左アーチロック部材と、右アーチロック部材は、互いに嵌め合うロック構造であることを特徴とする請求項１に記載の接合式ＬＥＤディスプレイ支持枠構造。
【請求項３】
前記ディスプレイ接続構造は、セットで前記底部支持枠の前側及び後側に設けられるディスプレイ接続ロック部材であり、
前記ディスプレイ接続ロック部材は、間隔をあけて配置される２つの回転ロック本体と、前記回転ロック本体を収納するためのロックスロットと、を含み、
前記回転ロック本体は、前記底部支持枠を貫通するボルトであり、その上部に右回り又は左回り回転して締め付け又は緩めるための回転弁が設けられ、その下部にネジ山接続方式により外付けのＬＥＤディスプレイに接続されることを特徴とする請求項１に記載の接合式ＬＥＤディスプレイ支持枠構造。
【請求項４】
前記回転フレームは、
接続軸と、
１セットの接続スリーブと、
その一方の端が前記接続軸の外部に嵌着され、その他方の端に半可動式シャックルリングが設けられておる複数の回転サイドバーと、を含み、
前記接続スリーブは、前記接続軸の一方の端に嵌着された前接続スリーブと、前記接続軸の他方の端に嵌着された後接続スリーブと、を含み、前記前接続スリーブ及び前記後接続スリーブに互いに嵌め合うための内外部ネジ山が設けられていることを特徴とする請求項１に記載の接合式ＬＥＤディスプレイ支持枠構造。
【請求項５】
前記後接続スリーブは、階段式スリーブ構造であり、階段端部の外部に外部ネジ山が設けられ、
前記前接続スリーブの内部に前記外部ネジ山と嵌め合うための内部ネジ山が設けられ、
前記前接続スリーブの外部に摩擦力を増やすための歯状構造が設けられていることを特徴とする請求項４に記載の接合式ＬＥＤディスプレイ支持枠構造。
【請求項６】
前記シャックルリングは、セミオープン式環状シャックルであり、ヒンジで接続される２つの半円形の片体と、を含み、
前記半円形の片体間にヒンジで固定され、１つの片体は、前記回転サイドバーに固定接続され、他の１つの片体は、半可動構造であり、その可動端に接続螺子が設けられていることを特徴とする請求項４に記載の接合式ＬＥＤディスプレイ支持枠構造。
【請求項７】
前記左アーチロック部材及び前記右アーチロック部材は嵌め合う回転押圧係合構造であり、
前記左アーチロック部材は、
一方の端が前記支持枠の左端に固定接続され、他方の端が宙釣り構造であり、外部からの圧力を受ける場合に後ろに回転し、外部力がない場合に前記支持枠に平行するためのプレスハンドルと、
そのＵ字開口端が前記プレスハンドルの固定端に固定接続されているＵ字環と、を含み、
前記右アーチロック部材は、
接続凸台と、を含み、
前記接続凸台の左側の端面に前記Ｕ字環と嵌め合うカードスロットが設けられ、前記接続凸台と前記支持枠との間に可動式接続構造があり、前記凸台は、必要に応じて台座に沿って一定の角度を回転することができ、回転角度の範囲は、−１０°〜＋１０°であることを特徴とする請求項２に記載の接合式ＬＥＤディスプレイ支持枠構造。
【請求項８】
前記連接棒は、炭素繊維材料構造であることを特徴とする請求項２に記載の接合式ＬＥＤディスプレイ支持枠構造。
【請求項９】
前記底部支持枠の後から見ると、前記底部支持枠の左上方に１セットの前記回転フレームが設置され、前記底部支持枠の右下方に他の１セットの前記回転フレームが設置されており、
又は、前記底部支持枠の後から見ると、前記底部支持枠の右上方に１セットの前記回転フレームが設置され、前記底部支持枠の左下方に他の１セットの前記回転フレームが設置されている
ことを特徴とする請求項１に記載の接合式ＬＥＤディスプレイ支持枠構造。
【請求項１０】
単一の支持枠構造を組立て、支持枠ユニットとするステップＳ１と、
必要に応じて複数の支持枠ユニットを選んで前後接合を行い、
前記支持枠ユニットの底部支持枠を同じ水平面の前後隣接位置に置き、その前後隣接端のロッキングプレート及びロッキングコラムにより接続されるステップＳ２と、
必要に応じて複数の支持枠ユニットを選んで左右接合を行い、
前記支持枠ユニットの底部支持枠を同じ水平面の左右隣接位置に置き、その左右隣接端の前記左アーチロック部材及び右アーチロック部材により接続されるステップＳ３と、を含むことを特徴とする請求項１〜９のいずれか一項に記載の接合式ＬＥＤディスプレイ支持枠構造に適用する接合式ＬＥＤディスプレイ支持枠構造の接合方法。
【請求項１１】
ステップＳ１は、
任意の１つの前記回転フレームを取り、回転サイドバーのシャックルリングを前記底部支持枠の任意の１つの連接棒の外部の前部に覆設し、接続螺子により固定接続し、その３方向の自由度を制限し、前記回転サイドバーは、前後方向に沿って限定距離内で移動し、且つ接続される前記連接棒を軸心に回転させる前部回転フレーム装着ステップＳ１１と、
他の１つの前記回転フレームを取り、前記回転サイドバーのシャックルリングを前記底部支持枠の他の１つの連接棒の外部の後部に覆設し、前記接続螺子により固定接続し、その３方向の自由度を制限し、前記回転サイドバーは、前後方向に沿って限定距離内で移動し、且つ接続される前記連接棒を軸心に回転させる前後部回転フレーム装着ステップＳ１２と、
前記底部支持枠との装着を完了した前記前部及び後部回転フレームの接続軸を同じ水平高さまで回転し、前記接続軸の隣接両端に嵌着された前接続スリーブ及び後接続スリーブのネジ山によりしっかり締めて接続し、開かれた三角形構造に組み立てるという回転フレーム接合ステップＳ１３と、
前記接続された回転フレームの接続軸の隣接端の接続スリーブを回転して分解し、前部及び後部の分解後の２つの回転フレームを前記底部支持枠に折り畳んで収納するように左、右にそれぞれ回転させる回転フレーム折り畳みステップＳ１４とを含むことを特徴とする請求項１０に記載の接合式ＬＥＤディスプレイ支持枠構造の接合方法。
【手続補正２】
【補正対象書類名】明細書
【補正対象項目名】００２７
【補正方法】変更
【補正の内容】
【００２７】
さらに、前記ステップＳ１は、任意の１つの前記回転フレームを取り、前記回転サイドバーのシャックルリングを前記底部支持枠の任意の１つの連接棒の外部の前部に覆設し、前記接続螺子により固定接続し、その３方向の自由度を制限し、前記回転サイドバーは、前後方向に沿って限定距離内で移動し、且つ接続される前記連接棒を軸心に回転させる前部回転フレーム装着ステップＳ１１と、他の１つの前記回転フレームを取り、前記回転サイドバーのシャックルリングを前記底部支持枠の他の１つの連接棒の外部の後部に覆設し、前記接続螺子により固定接続し、その３方向の自由度を制限し、前記回転サイドバーは、前後方向に沿って限定距離内で移動し、且つ接続される前記連接棒を軸心に回転させる前後部回転フレーム装着ステップＳ１２と、前記底部支持枠との装着完了の前記前部及び後部回転フレームの接続軸を同じ水平高さまで回転し、前記接続軸の隣接両端に嵌着された前接続スリーブ及び後接続スリーブのネジ山によりしっかり締めて接続し、開かれた三角形構造に組み立てるという回転フレーム接合ステップＳ１３と、接続された前記回転フレームの接続軸の隣接端の接続スリーブを回転して分解し、前部及び後部の分解後の２つの回転フレームを前記底部支持枠に折り畳んで収納するように左、右にそれぞれ回転させる回転フレーム折り畳みステップＳ１４と、含む。
【手続補正３】
【補正対象書類名】明細書
【補正対象項目名】００６４
【補正方法】変更
【補正の内容】
【００６４】
そのうち、ステップＳ１は、任意の１つの回転フレーム２を取り、回転サイドバー２４のシャックルリング２５を底部支持枠１の任意の１つの連接棒１３の外部の前部に覆設し、接続螺子２６により固定接続し、その３方向の自由度を制限し、回転サイドバー２４は、前後方向に沿って限定距離内で移動し、且つ接続される連接棒１３を軸心に回転させる前部回転フレーム２装着ステップＳ１１と、他の１つの回転フレーム２を取り、回転サイドバー２４のシャックルリング２５を底部支持枠１の他の１つの連接棒１３の外部の後部に覆設し、接続螺子２６により固定接続し、その３方向の自由度を制限し、回転サイドバー２４は、前後方向に沿って限定距離内で移動し、且つ接続される連接棒１３を軸心に回転させる前後部回転フレーム２装着ステップＳ１２と、底部支持枠１との装着を完了した前部及び後部回転フレーム２の接続軸２１を同じ水平の高さまで回転し、接続軸２１の隣接両端に嵌着された前接続スリーブ２２及び後接続スリーブ２３のネジ山によりしっかり締めて接続し、開かれたと三角形構造に組み立てるという回転フレーム接合ステップＳ１３と、接続された回転フレーム２の接続軸２１の隣接端の接続スリーブを回転して分解し、前部及び後部の分解後の２つの回転フレーム２を底部支持枠１に折り畳んで収納するように左、右にそれぞれ回転させる回転フレーム折り畳みステップＳ１４と、含む。
【国際調査報告】
2021513090.tif 000025
2021513090.tif 000026
2021513090.tif 000027
2021513090.tif 000028
2021513090.tif 000029
2021513090.tif 000030